(57)【特許請求の範囲】
【請求項１】
紐体連結用の連結体１の一端外側にリング状の連結環４を配設し、連結体１に紐体挿通用の貫通孔２を横設し、該貫通孔２に反連結環側から紐体挿通用の２条の挿通孔３を前記貫通孔２に連設し、該挿通孔３は連結体１の内側が狭小状に開口する開口部７を外面に向け設けたことを特徴とするスライドファスナー用スライダーの引手連結具。
【請求項２】
紐体挿通用の挿通孔３は連結体１の側面が開口した開口部７を設けてなる請求項１記載のスライドファスナー用スライダーの引手連結具。
【請求項３】
紐体挿通用の貫通孔２および挿通孔３に、連結体１の裏面が開口した開口部７、９を設けてなる請求項１記載のスライドファスナー用スライダーの引手連結具。
【請求項４】
紐体挿通用の貫通孔２は連結体１の裏面が開口する開口部９を設け、挿通孔３は連結体１の側面が開口する開口部７を設けてなる請求項１記載のスライドファスナー用スライダーの引手連結具。
【請求項５】
リング状の連結環４を連結体１に固定してなる請求項１乃至４のいずれか一項に記載のスライドファスナー用スライダーの引手連結具。
【請求項６】
リング状の連結環４を連結体１に回動自在に軸支してなる請求項１乃至４のいずれか一項に記載のスライドファスナー用スライダーの引手連結具。
【発明の詳細な説明】
【０００１】
【発明の属する技術分野】
この発明は、スライドファスナー用スライダーの引手であって丸紐の紐体を引手として用い、この紐体をスライダー胴体に取付けるための引手連結具に関するものである。
【０００２】
【従来の技術】
従来のこの種の引手連結具は、図１２に示すように、一端にスライダー胴体に取付けるための連結孔を設けた平板状の引手における摘み部に数個の横長の透孔を設け、この透孔に平紐の紐体を蛇行状に挿通して締付け固定するスライドファスナー用スライダーの引手が知られている。
【０００３】
また図１３に示すように、２個の角状の挟持板を細幅の首部で連結し、挟持板の内面に２条の凹条溝をもうけ、この凹条溝に突部を設けて首部で折曲げ、凹条溝に丸紐の端部を嵌め込み挟持し、折曲げ部分の首部にスライダー胴体に連結するための連結環を装着したスライドファスナー用スライダーの引手連結具が実開平６−５０５１４号公報に開示されている。
【０００４】
【発明が解決しようとする課題】
前項で述べた図１２に示した公知の紐体を用いた引手は、引手の製作はきわめて簡単であるが、引手に紐体を挿通して折返し装着させる操作がスムーズに行かない、また引手に対する紐体の装着部分が表面へ凸状に現出し、引手として体裁がよくないなどの問題点がある。
【０００５】
また図１３に示した公知の引手連結具は、丸紐などの紐体の端部を連結具に強固かつ体裁よく固定することができる利点があるが、装着される紐体は端部を固定するタイプであり、紐体を連結具に装着する操作が面倒であること、また一旦連結具に取付けられた紐体を随時取替えることが簡単にできないなど問題点がある。
【０００６】
この発明は、上述の問題点を考慮して発明されたものであり、この発明のうち請求項１記載の発明は、丸紐などの紐体を用いた引手を簡単にスライダー胴体に装着できる引手連結具であって、紐体の端部を紐体連結用の連結体に挿通または嵌入してた後、紐体を巻きかけるように圧入することによって簡単に固定でき、紐体の装着操作が簡便で、しかも連結体に装着された紐体は連結体上に現出しない体裁のよい、そのうえ紐体を随時簡単に取替えることができるスライドファスナー用スライダーの引手連結具を提供することが主たる目的である。
【０００７】
請求項２、３および４記載の発明は、請求項１記載の発明の目的の加え、連結体に紐体挿通用の挿通孔あるいは貫通孔における開口形態を特定にすることによって、各種タイプの連結体に対し紐体の装着操作を簡便に行えるスライドファスナー用スライダーの引手連結具を提供することが目的である。
【０００８】
請求項５および６記載の発明は、請求項１乃至４のいずれか一項に記載の発明の目的に加え、スライダー胴体に連結するための連結環の配設形態を特定することによって、各種タイプのスライダーに適したスライダーの操作、取扱いが簡便にできるスライドファスナー用スライダーの引手連結具を提供することが目的である。
【０００９】
【課題を解決するための手段】
前記の目的を達成するため、この発明のうち請求項１記載の発明は、紐体連結用の連結体１における一端外側にスライダー胴体に取付けるためのリング状の連結環４を配設し、この連結体１に紐体挿通用の貫通孔２を横設し、この連結体１に配設した貫通孔２に対し、反連結環４側から紐体挿通用の２条の挿通孔３を貫通孔２に直交する形態で連設し、この挿通孔３は連結体１の内側が狭小状に開口する開口部７を連結体１の外面に向け設けたスライドファスナー用スライダーの引手連結具を主な構成とするものである。
【００１０】
請求項２記載の発明は、請求項１記載の発明の構成に加え、連結体１に配設する紐体挿通用の挿通孔３は連結体１の側面が開口する形態に開口部７を設けたスライドファスナー用スライダーの引手連結具である。
【００１１】
請求項３記載の発明は、請求項１記載の発明の構成に加え、連結体１に配設する紐体挿通用の貫通孔２および挿通孔３は、ともに連結体１の裏面側が開口する形態の開口部７、９を設けたスライドファスナー用スライダーの引手連結具である。
【００１２】
請求項４記載の発明は、請求項１記載の発明の構成に加え、連結体１に配設する貫通孔２は連結体１の裏面側が開口する形態に開口部９を設け、さらに連結体１に配設する挿通孔３は連結体１の側面が開口する形態に開口部７を設けたスライダー用スライダーの引手連結具である。
【００１３】
請求項５記載の発明は、請求項１乃至４のいずれか一項に記載の発明の構成に加え、スライダー胴体に取付けるためのリング状の連結杆４を連結体１に固定したスライドファスナー用スライダーの引手連結具である。
【００１４】
請求項６記載の発明は、請求項１乃至４のいずれか一項に記載の発明の構成に加え、スライダー胴体に取付けるためのリング状の連結環４を連結体１に回動自在に軸支したスライドファスナー用スライダーの引手連結具である。
【００１５】
【発明の実施の形態】
以下、この発明におけるスライドファスナー用スライダーの引手連結具の実施の形態について、図面を参照しながら具体的に説明する。
【００１６】
この発明のスライドファスナー用スライダーの引手連結具は、図１〜３に示すように直方体形を呈する紐体連結用の連結体１であり、連結体１の一端外側面にスライダー胴体Ｓに連結するためのリング状の連結環４を一体的に突設し、連結環４寄りの連結体１に横方向に貫通する紐体挿通用の貫通孔２を穿設する。この連結体１の連結環４の反対側から貫通孔２に直交する形態で左右２条の紐体挿通用の挿通孔３を連設し、この挿通孔３間に仕切壁５を形成する。さらに挿通孔３の側壁６には内側が狭小する、すなわちハの字状に開口する開口部７を連結体１の側面に設ける。
【００１７】
この連結体１は、アルミニウム合金または亜鉛合金などの金属をダイカスト成形手段によって一体成形することにより形成する。また金属に代えてポリアミド、ポリアセタール、ポリプロピレン、ポリプチレンテレフタレートなどの熱可塑性樹脂を射出成形手段によって成形し、引手連結体を製作する。
【００１８】
以上の形態で形成された連結体１に紐体２５を装着して引手２６を形成するには、図４に示すように紐体２５として丸紐を用いて、まず紐体２５の端部から貫通孔２に挿通し、その後挿通された紐体２５の両側を掴んで挿通孔３へ連結体１の側面に形成された開口部７から圧入し、紐体２５を仕切壁５に巻回して固定すると同時に、紐体２５を引揃えて端部を結束または止具を用いて固定し、引手２６を形成し、スライダー胴体Ｓの引手取付部Ｔに連結環４を取付けてスライダーを完成させる。
【００１９】
図５、６に示す引手連結具は、紐体連結用の連結体１に貫設された紐体挿通用の貫通孔２において、底部８が開口する開口部９を連結体１の裏面に設け、この開口部９は貫通孔２と同径の断面Ｕ字状に形成されている。この貫通孔２に紐体挿通用の挿通孔３を前例と同様に連設し、挿通孔３の側壁６に内側が狭小状に開口する開口部７を設け、連結体１の貫通孔２側の外側面に連結環４が突設されている。
【００２０】
この連結体１に丸紐の紐体２５を装着するには、まず紐体２５の両端を掴んで連結体１の裏面に形成された開口部９から嵌入し、次に紐体２５を側面の開口部７から挿通孔３に圧入し、仕切壁５を巻回して紐体２５を引揃えて端部を適宜固定して装着する。なお装着された紐体２５にリングを挿通して紐体２５のずれ動きを防ぎ、挿通孔３からの脱出を阻止することもできる。
【００２１】
図７、８に示す引手連結具は、連結体１に設けられた紐体挿通用の貫通孔２は底部８の中央部分を残存して左右両側が裏面に開口する断面Ｕ字状の開口部９を設けるとともに、紐体挿通用の挿通孔３も裏面から内側が狭小状に開口する開口部７を底部８に設ける。連結体１の一端に配設する連結環４は、連結体１の端面から突出する２個の突片１０を並行状に設け、この突片１０に軸孔１１を穿設する。一方リング状の連結環４の一端には突片１０間に嵌入できる突片１２を突設するとともに、その両側に支軸１３を突設して前記突片１０の軸孔１１に嵌挿して連結環４を連結体１に回動自在に軸支する。
【００２２】
この引手連結具は、連結体１に連結環４を軸支した形態に金属または熱可塑性樹脂によって、ダイカスト成形手段により一挙に組付けた状態に形成する。そして連結体１に紐体２５を装着するには、紐体２５の端部を貫通孔２に挿通し、紐体２５を連結体１の裏面に設けた開口部７から圧入し、仕切壁５に巻回して装着し、紐体２５を引揃え端部を適宜固定して引手連結具を完成させる。
【００２３】
図９に示す引手連結具は、連結環４を突設した連結体１に設けた紐体挿通用の貫通孔２は、連結体１の裏面に内側が狭小状に全長にわたって開口する開口部９を底部８に設け、貫通孔２に直交状に連設した紐体挿通用の挿通孔３は、連結体１の側面に内側が狭小状に開口する開口部７を設けることによって、紐体２５の装着方向を底面と側面とに異ならしめた形態の連結体１である。
【００２４】
この連結体１に紐体２５を装着させるには、連結体１に設けた貫通孔２に紐体２５の両側を掴んで裏面側の開口部９から圧入し、次に連結体１の側面に配された開口部７から紐体２５を挿通孔３に圧入し、紐体２５を仕切壁５に巻回させることによって、紐体２５を連結体１に装着し引揃えて端部を適宜固定して引手連結具を完成させる。
【００２５】
なお装着される紐体２５は連結体１に設けられた貫通孔２の開口部９と挿通孔３の開口部７との開口方向が連結体１の裏面と側面に異なっているため、通常の状態では連結体１から紐体２５は脱落することはない。
【００２６】
図１０に示す引手連結具は、円柱形を呈する連結体１から形成され、連結体１の一端面にリング状の連結環４を突設し、連結環４寄りの個所に紐体挿通用の貫通孔２を貫設し、連結環４と反対面から貫通孔２に直交状に連接する紐体挿通用の挿通孔３を連接するとともに、この挿通孔３は側面に内側が狭小状となる開口部７を配設した引手連結具である。
【００２７】
この連結体１に紐体２５を装着するには、まず紐体２５の端部から貫通孔２に挿通し、しかる後紐体２５の両側を掴んで連結体１の側面に開口する開口部７から挿通孔３に圧入し、仕切壁５を巻回して装着し紐体２５を引揃えて端部を適宜固定して引手連結具を作製する。なお貫通孔２の裏面に狭小状の開口部９を設けること、また挿通孔３の開口部７を裏面側に設けることなどは自由に組合せることができる。
【００２８】
図１１に示す引手連結具は、球体状の連結体１から形成され、連結体１の一端面にリング状の連結環４を突設し、連結環４寄りの個所に紐体挿通用の貫通孔２を貫設し、連結環４と反対側から貫通孔２に直交状に連接する紐体挿通用の挿通孔３を２条連接するとともに、この挿通孔３間の仕切壁５は先端部分が欠除して途中まで介在する。この挿通孔３の外側面には内側が狭小状を呈する開口部７を配設した引手連結具である。
【００２９】
この連結体に紐体２５を装着するには、前例の連結体１と同様の操作によって、まず紐体２５の端部から貫通孔２に挿通し、しかる後、紐体の両側を掴んで連結体１の側面に開口する開口部７から挿通孔３に圧入し、仕切壁５を巻回して装着し紐体２５を引揃えて端部を適宜固定して引手連結具を作製する。
【００３０】
【発明の効果】
この発明のスライドファスナー用スライダーの引手連結具は、以上説明したとおりの構成であり、この構成によって下記の効果を奏するものである。
【００３１】
この発明のうち請求項１記載の発明は、連結体の一端外側に連結環を配し、連結体に貫通孔を横設し、貫通孔に反連結環側から２条の挿通孔を連設し、挿通孔は連結体の内側が狭小状に開口する開口部を外面に向けて設けたことによって、紐体を連結体に簡単な操作によって装着することができ、しかも連結体の表面に紐体の装着部分が現出しない体裁のよい引手連結具であり、そのうえ連結体に装着された紐体を随時簡単に取替えることができる効果がある。
【００３２】
請求項２、３および４記載の発明は、それぞれ請求項１記載の発明の効果に加え、挿通孔は連結体の側面に開口する開口部を設け、または貫通孔および挿通孔をともに連結体の裏面が開口した開口部を設け、あるいは貫通孔を連結体の裏面が開口する開口部、また挿通孔は連結体の側面が開口する開口部を設けたことによって、連結体に設けた貫通孔、挿通孔に対し、裏面または側面が開口する開口部を設けているから、この開口部を利用してきわめて簡単かつ容易に紐体を連結体に装着できる効果がある。
【００３３】
請求項５および６記載の発明は、請求項１乃至４のいずれか一項に記載の発明の効果に加え、リング状の連結環を連結体に固定したこと、あるいは連結環を連結体に回動自在に軸支したことによって、各種タイプのスライダーの需要に応じて適切に対処できる効果があるなど、この発明が奏する効果はきわめて顕著である。
【図面の簡単な説明】
【図１】引手連結具における直方体形の連結体の斜視図である。
【図２】同上連結体の横断平面図である。
【図３】同上連結体の横断正面図である。
【図４】引手連結具を装着したスライダーの斜視図である。
【図５】第２実施例に基づく直方体形の連結体の斜視図である。
【図６】同上連結体の横断平面図である。
【図７】第３実施例に基づく直方体形の連結体の斜視図である。
【図８】同上連結体の横断平面図である。
【図９】第４実施例に基づく直方体形の連結体の斜視図である。
【図１０】第５実施例に基づく円柱形の連結体の斜視図である。
【図１１】第６実施例に基づく球体状の連結体の横断斜視図である。
【図１２】公知の紐体を用いた引手の斜視図である。
【図１３】他の公知の紐体を用いた引手の平面図である。
【符号の説明】
１          連結体
２          貫通孔
３          挿通孔
４          連結環
７          開口部
９          開口部
【図１】
0003544288.tif 000002
【図２】
0003544288.tif 000003
【図３】
0003544288.tif 000004
【図４】
0003544288.tif 000005
【図５】
0003544288.tif 000006
【図６】
0003544288.tif 000007
【図７】
0003544288.tif 000008
【図８】
0003544288.tif 000009
【図９】
0003544288.tif 000010
【図１０】
0003544288.tif 000011
【図１１】
0003544288.tif 000012
【図１２】
0003544288.tif 000013
【図１３】
0003544288.tif 000014